(57)【要約】【課題】シート処理装置のジャム処理作業性の向上と搬送ローラ対の挟持搬送力の向上とを両立したシート処理装置を提供する。【解決手段】固定搬送ガイド２９は、シート処理装置１１の装置本体側に設けられている。一方、可動搬送ガイド２８は、固定搬送ガイド２９に対向して経路ｂを形成する閉状態と、装置外側に回動して経路ｂを開放する開状態に移動可能に構成されている。シート処理装置１１が画像形成装置１に接続されたときには、板バネ３１が画像形成装置１の外壁に当接してたわむことにより可動搬送ガイド２８を固定搬送ガイド２９側に付勢する。これにより、装置稼動時には、搬送ローラ対１３に十分な挟持搬送力を発生させることができる一方で、ジャム処理時には、容易に可動搬送ガイド２８を開状態にすることができジャム処理作業性の向上も図られる。【選択図】　図１
2004118029.tif 000002
【特許請求の範囲】
【請求項１】
外部装置から導入されたシートに所定の処理を施すシート処理装置であって、
装置本体側に設けられた固定ガイド部材と、
前記固定ガイド部材に対向してシート搬送路を形成する閉状態と装置外側に回動して前記シート搬送路を開放する開状態とに移動可能な可動ガイド部材と、
前記可動ガイド部材に設けられて、当該装置が前記外部装置に接続されたときに前記外部装置に当接することにより前記可動ガイド部材を前記固定ガイド部材側に付勢する弾性部材と、
を備えたことを特徴とするシート処理装置。
【請求項２】
外部装置から導入されたシートに所定の処理を施すシート処理装置であって、
装置本体側に設けられた固定ガイド部材と、
前記固定ガイド部材に対向してシート搬送路を形成する閉状態と装置外側に回動して前記シート搬送路を開放する開状態とに移動可能な可動ガイド部材と、
前記両ガイド部材のそれぞれに設けられたローラからなり、前記閉状態のときに互いに圧接してシートを搬送する搬送ローラ対と、
前記可動ガイド部材に設けられて、当該装置が前記外部装置に接続されたときに前記外部装置に当接することにより前記可動ガイド部材を前記固定ガイド部材側に付勢する弾性部材と、
を備えたことを特徴とするシート処理装置。
【請求項３】
前記可動ガイド部材は、当該装置を前記外部装置から離したときに自重によって前記開状態に移動することを特徴とする請求項１または２に記載のシート処理装置。
【請求項４】
当該装置を前記外部装置に接続する際に、前記外部装置の外壁に沿って摺り動き前記可動ガイド部材を開状態から閉状態に移動させる摺動部を設けたことを特徴とする請求項１，２または３に記載のシート処理装置。
【請求項５】
前記可動ガイド部材を前記固定ガイド部材側に引き付けるバネ部材を設けたことを特徴とする請求項１または２に記載のシート処理装置。
【請求項６】
前記弾性部材に前記可動ガイド部材を移動させるための把手が設けられていることを特徴とする請求項１〜５のうちいずれか１項に記載のシート処理装置。
【請求項７】
当該装置が前記外部装置に接続されたときに前記把手が前記外部装置に当接することを特徴とする請求項６に記載のシート処理装置。
【請求項８】
前記弾性部材は、前記可動ガイド部材の回動軸とは反対側の端部に設けられることを特徴とする請求項１〜７のうちいずれか１項に記載のシート処理装置。
【請求項９】
前記外部装置は、シートに画像を形成する画像形成装置であることを特徴とする請求項１〜８のうちいずれか１項記載のシート処理装置。
【発明の詳細な説明】
【０００１】
【発明の属する技術分野】
本発明は、電子写真方式や静電記録方式などによって画像形成を行う複写機，プリンタ，ファクシミリ等の画像形成装置に接続されるシート処理装置に関する。
【０００２】
【従来の技術】
近年、複写機等の画像形成装置（外部装置）に接続されるシート処理装置にあっては、印刷されたシートの整合処理や綴じ処理、あるいは中綴じ製本処理を可能にしているものがある。
【０００３】
図５は、従来の画像形成装置およびシート処理装置の一例を示す概略構成図であり、図６は、シート処理装置の概略構成図である。同図では、画像形成装置１の左側にシート処理装置１１が接続されている。
【０００４】
画像形成装置１の一連の画像形成プロセスは周知であるため説明を省略する。画像形成装置１内で印刷されたシートは排出ローラ対２によりシート処理装置１１に受け渡される。
【０００５】
シート処理装置１１に導入されたシートは経路分岐装置１２によって、シートを部数毎にソート可能なフィニッシャーユニットＡに通ずる経路ａと、複数枚のシートを綴じて折り込み製本可能なステッチャユニットＢに通ずる経路ｂのいずれかに導かれる。
【０００６】
ここでは、製本経路であるステッチャユニットＢに通ずる経路ｂが選択された場合について説明する。
【０００７】
経路分岐装置１２によって経路ｂに導かれたシートは搬送ローラ対１３によって搬送される。搬送ローラ対１３は駆動ローラ１３ａと従動コロ１３ｂと板バネ１３ｃとで構成されている。板バネ１３ｃは可動搬送ガイド２８に接続されており、所定の圧で従動コロ１３ｂを駆動ローラ１３ａに押圧し、搬送力を得るようになっている。
【０００８】
そして、搬送されたシート下端がストッパー１８に当接して位置決めされ、不図示の整合板によって搬送垂直方向に整合される。このとき、ストッパー１８は画像形成装置本体側で選択されたシートサイズに合わせて、シート中央がステイプル位置ｃにくるように位置決めされている。また、順次搬送されるシートは先に搬送され位置決めされたシートの上側に重ねられるよう、フラッパー１４，１５によって搬送経路を制御される。
【０００９】
指定されたシート枚数に達すると、不図示の整合板によって搬送垂直方向にシート束が整合され、ステイプラ１９によってステイプルされる。その後、ステイプルされたシート束の中央が折り位置ｄにくるようにストッパー１８がスライドする。そして、突き板２０が突き出されることにより、シート束が中央から「くの字」に変形し、それと同時に排出方向に回転している折りローラ２１ａ，２１ｂのニップで二つ折りされる。二つ折りされたシート束は排出ローラ２２により機外に排出され、積載手段であるトレイ２３に積載される。
【００１０】
次に、経路ｂにおけるジャム処理について説明する。経路ｂは、可動搬送ガイド２８と固定搬送ガイド２９から構成されている。可動搬送ガイド２８はヒンジ３０を中心に回動可能であり、双方のガイドをつなぐバネ２７によって固定搬送ガイド２９の方向に引っ張られている。そして固定搬送ガイド２９のストッパー（不図示）に可動搬送ガイド２８が突き当たり所定のガイド間ギャップを保持するようになっている。
【００１１】
このため、シート処理装置１１を画像形成装置１から引き離し、可動搬送ガイド２８の把手２６をもって可動搬送ガイド２８を図のＳ方向に開いてやればジャム処理が可能となる。また手を離せば可動搬送ガイド２８はバネ２７の引張力により所定の位置に戻る。
【００１２】
【発明が解決しようとする課題】
最近では、画像形成装置の高機能化・多機能化が進み、取り扱い対象となるシートが多様化している。厚みのあるシートを搬送するためには、搬送ローラ対１３の挟持搬送力を高めるべく、従来よりも板バネ１３ｃのバネ力を強く設定する必要がある。この場合、板バネ１３ｃの反力が可動搬送ガイド２８を開放する方向に作用するので、図５に示す構成にあっては、その反力に打ち勝つように、ガイド間をつなぐバネ２７のバネ力も強くして、ガイド間ギャップが適正に保たれるようにする。しかしながら、ガイド間のバネ２７の引張力が強くなると、把手２６をもって可動搬送ガイド２８を開放する際に相当な力が必要となり、シート処理装置１１のジャム処理性の悪化という別の問題を招いてしまっていた。
【００１３】
かかる問題を回避すべく、図７のように、ガイド間にバネを設けずに可動搬送ガイド２８の外側を画像形成装置１に設置された板バネ３で押圧する構成も考えられる。この構成の場合、図８のようにシート処理装置１１を画像形成装置１から引き離してやれば、自然に可動搬送ガイド２８が開くことになる。
【００１４】
しかしながら、このような構成にあっては、画像形成装置１のジャム処理性が悪くなるという問題を招いてしまう。
【００１５】
たとえば、図９のように定着器５あるいは搬送ユニット６を横スライドさせてジャム処理する方式の画像形成装置の場合、スライドする搬送ユニット６に板バネ３が設置されていると、搬送ユニット６を引き出そうとするときに板バネ３が腕に当たるなどして邪魔になり、スライド用の把手４を持ちづらい。
【００１６】
あるいは、図１０のように画像形成装置１のスライドしない固定側面に板バネ３を設置し、図中ＱまたはＲの位置に把手４を設置した場合であっても、搬送ユニット６を画像形成装置１内に押し込むときに手や腕に板バネ３が当たるなどして作業性を低下させてしまう。
【００１７】
また、板バネ３はバネ性を持たせるために金属材料で製せられるが、定着器付近の外壁面に設置する場合には高温とならないように、植毛あるいは熱遮断などの特殊加工が必要となる。
【００１８】
本発明は上記実情に鑑みてなされたものであって、その目的とするところは、シート処理装置およびシート処理装置が接続される外部装置の双方のジャム処理作業性に優れたシート処理装置を提供することにある。
【００１９】
また、本発明の他の目的は、シート処理装置のジャム処理作業性の向上と搬送ローラ対の挟持搬送力の向上とを両立したシート処理装置を提供することにある。
【００２０】
さらに、本発明の他の目的は、このようなシート処理装置を簡易な構成で実現することにある。
【００２１】
【課題を解決するための手段】
上記目的を達成するために本発明のシート処理装置は、外部装置から導入されたシートに所定の処理を施すシート処理装置であって、装置本体側に設けられた固定ガイド部材と、前記固定ガイド部材に対向してシート搬送路を形成する閉状態と装置外側に回動して前記シート搬送路を開放する開状態とに移動可能な可動ガイド部材と、前記可動ガイド部材に設けられて、当該装置が前記外部装置に接続されたときに前記外部装置に当接することにより前記可動ガイド部材を前記固定ガイド部材側に付勢する弾性部材と、を備えたことを特徴とする。
【００２２】
この構成によれば、シート処理装置を外部装置に接続したときに弾性部材が外部装置に当接することにより、はじめて可動ガイド部材に付勢力が作用する。逆に、シート処理装置を外部装置から離すと弾性部材も離れ、上記付勢力がなくなる。したがって、装置稼動時には、可動ガイド部材の位置決めが確実に行われ、ガイド間ギャップは適正に保たれる一方で、ジャム処理時には、小さな力で可動ガイド部材を開状態にできジャム処理作業性の向上も図られる。
【００２３】
また、この構成によれば、外部装置側に可動ガイド部材を押圧する板バネ等を設ける必要がないので、外部装置のジャム処理作業性を阻害することもない。
【００２４】
本発明の他の構成のシート処理装置は、外部装置から導入されたシートに所定の処理を施すシート処理装置であって、装置本体側に設けられた固定ガイド部材と、前記固定ガイド部材に対向してシート搬送路を形成する閉状態と装置外側に回動して前記シート搬送路を開放する開状態とに移動可能な可動ガイド部材と、前記両ガイド部材のそれぞれに設けられたローラからなり、前記閉状態のときに互いに圧接してシートを搬送する搬送ローラ対と、前記可動ガイド部材に設けられて、当該装置が前記外部装置に接続されたときに前記外部装置に当接することにより前記可動ガイド部材を前記固定ガイド部材側に付勢する弾性部材と、を備えたことを特徴とする。
【００２５】
この構成によれば、シート処理装置を外部装置に接続したときに弾性部材が外部装置に当接することにより、はじめて可動ガイド部材に付勢力が作用する。逆に、シート処理装置を外部装置から離すと弾性部材も離れ、上記付勢力がなくなる。したがって、装置稼動時には、可動ガイド部材の位置決めが確実に行われ、ガイド間ギャップは適正に保たれる一方で、ジャム処理時には、小さな力で可動ガイド部材を開状態にできジャム処理作業性の向上も図られる。そして、弾性部材の付勢力を十分強く設定しても、ジャム処理作業性に影響を与えないことから、搬送ローラ対の圧接力、すなわち挟持搬送力を十分に高めることができる。
【００２６】
また、この構成によれば、外部装置側に可動ガイド部材を押圧する板バネ等を設ける必要がないので、外部装置のジャム処理作業性を阻害することもない。
【００２７】
上記構成のシート処理装置にさらに以下に述べる構成を適宜組み合わせることも好ましい。
【００２８】
前記可動ガイド部材は、当該装置を前記外部装置から離したときに自重によって前記開状態に移動することが好適である。
【００２９】
当該装置を前記外部装置に接続する際に、前記外部装置の外壁に沿って摺り動き前記可動ガイド部材を開状態から閉状態に移動させる摺動部を設けることも好適である。
【００３０】
前記可動ガイド部材を前記固定ガイド部材側に引き付けるバネ部材を設けることも好適である。
【００３１】
前記弾性部材に前記可動ガイド部材を移動させるための把手が設けられていることも好適である。
【００３２】
当該装置が前記外部装置に接続されたときに前記把手が前記外部装置に当接することも好適である。
【００３３】
前記弾性部材は、前記可動ガイド部材の回動軸とは反対側の端部に設けられることも好適である。
【００３４】
前記外部装置は、シートに画像を形成する画像形成装置であることも好適である。
【００３５】
【発明の実施の形態】
以下に図面を参照して、この発明の好適な実施の形態を例示的に詳しく説明する。これらのシート処理装置は、プリンタ，複写機，ファクシミリ等の画像形成装置あるいは他のシート処理装置などの外部装置に接続されて用いられるものであり、外部装置から導入されたシートに対して、仕分け，整合，綴じ，折り，製本等の処理を行うための装置である。
【００３６】
なお、以下の実施の形態に記載されている構成部品の材質、形状、その相対配置などは、特に特定的な記載がない限りは、この発明の範囲をそれらのみに限定する趣旨のものではない。
【００３７】
（第１の実施形態）
図１および図２は、本発明の第１の実施形態に係るシート処理装置を示す概略構成図である。
【００３８】
ここでは、上記従来例（図５〜図１０）と同一の構成部分については、同一の符号を付すなどして詳しい説明を省略する。
【００３９】
シート処理装置１１は、外部装置としての画像形成装置１に接続されて用いられるものであり、主に、シートを部数毎にソートするソート機能と複数枚のシートを綴じて折り込み製本するステッチャ機能を有する。
【００４０】
製本を行う際には、画像形成装置１の排出ローラ対２から受け渡されたシートが、経路ｂのシート搬送路に導入される。経路ｂは、可動ガイド部材である可動搬送ガイド２８と固定ガイド部材である固定搬送ガイド２９から構成される。
【００４１】
固定搬送ガイド２９は、シート処理装置１１の装置本体側に設けられている。一方、可動搬送ガイド２８は、その基端に設けられたヒンジ３０を回動軸として回動自在に固定され、固定搬送ガイド２９に対向して経路ｂを形成する閉状態（図１の状態）と、装置外側に回動して経路ｂを開放する開状態（図２の状態）に移動可能に構成されている。
【００４２】
可動搬送ガイド２８の先端側（回動軸とは反対側）の端部には、弾性部材としての板バネ３１と、摺動部としてのスライダー３２が取り付けられている。図１に示すように、シート処理装置１１が画像形成装置１に接続されたときには、板バネ３１先端のスライダー３２が画像形成装置１の外壁（側面）に当接することにより、板バネ３１がたわむ。そして、板バネ３１は、その弾性復元力により可動搬送ガイド２８を固定搬送ガイド２９側に付勢する。この付勢力を受けて、固定搬送ガイド２９に設けられたストッパー（不図示）に可動搬送ガイド２８が突き当たり、所定のガイド間ギャップに保持される。
【００４３】
このときに板バネ３１の発生する付勢力は、搬送ローラ対１３に圧接力を付与する板バネ１３ｃのバネ力に抗して、ガイド間ギャップが適正に保たれるようにし、かつ、搬送ローラ対１３に要求される挟持搬送力を発揮させ得るのに十分な力に設定してある。
【００４４】
図２は、ジャム処理などのため、画像形成装置１とシート処理装置１１を引き離した状態を示している。スライダー３２が画像形成装置１の側面から離れると、板バネ３１のたわみが開放され、可動搬送ガイド２８を押圧する付勢力がなくなる。あわせて、可動搬送ガイド２８は自重によって装置外側に回動し、開状態になる。これにより経路ｂが開放されるので、経路ｂ内のジャム処理が可能となる。
【００４５】
ジャム処理が終了し、シート処理装置１１を画像形成装置１に接続する際には、スライダー３２が画像形成装置１の外壁（側面）に沿って上方向に摺り動き、可動搬送ガイド２８を開状態から閉状態に移動させる。これにより、シート処理装置１１と画像形成装置１の接続作業を容易に行うことができる。
【００４６】
以上述べた本実施形態の構成によれば、シート処理装置１１を画像形成装置１に接続したときに板バネ３１が画像形成装置側面に当接することにより、はじめて可動搬送ガイド２８に付勢力が作用する。逆に、シート処理装置１１を画像形成装置１から引き離すと板バネ３１も離れ、付勢力がなくなる。したがって、装置稼動時には、可動搬送ガイド２８の位置決めが確実に行われ、ガイド間ギャップは適正に保たれる一方で、ジャム処理時には、容易に可動搬送ガイド２８を開状態にすることができジャム処理作業性の向上も図られる。
【００４７】
また、板バネ３１の付勢力を十分強く設定しても、ジャム処理作業性に影響を与えないことから、搬送ローラ対１３の圧接力、すなわち挟持搬送力を十分に高めることができ、厚みのあるシート等も良好に搬送することができる。
【００４８】
また、可動搬送ガイド２８側に板バネ３１を設置したことで、画像形成装置１の側面に可動搬送ガイド２８を押圧する板バネ等を設ける必要がないので、横スライドによるジャム処理方式の画像形成装置の場合でもジャム処理作業性を阻害することもない。
【００４９】
また、板バネ３１が可動搬送ガイド２８の回動軸とは反対側の端部に設けられているので、てこの原理により、板バネ３１の弾性復元力を効率的に可動搬送ガイド２８に作用させることができる。
【００５０】
（第２の実施形態）
図３および図４は、本発明の第２の実施形態に係るシート処理装置を示す概略構成図である。
【００５１】
ここでは、上記従来例（図５〜図１０）または上記第１の実施形態と同一の構成部分については、同一の符号を付すなどして詳しい説明を省略する。
【００５２】
本実施形態において、固定搬送ガイド２９は、シート処理装置１１の装置本体側に設けられている。一方、可動搬送ガイド２８は、その基端に設けられたヒンジ３０を回動軸として回動自在に固定され、固定搬送ガイド２９に対向して経路ｂを形成する閉状態（図３の状態）と、装置外側に回動して経路ｂを開放する開状態（図４の状態）に移動可能に構成されている。
【００５３】
両ガイドの間には、可動搬送ガイド２８を固定搬送ガイド２９側に引き付けるバネ部材であるバネ２７が設けられている。また、可動搬送ガイド２８の先端側（回動軸とは反対側）の端部には、可動搬送ガイド２８を開閉するための把手２６が取り付けられている。本実施形態では、この把手２６と可動搬送ガイド２８の間にホルダー３３を介して弾性部材たる板バネ３１が設置されている。
【００５４】
図３に示すように、シート処理装置１１が画像形成装置１に接続されたときには、板バネ３１先端の把手２６が画像形成装置１の外壁（側面）に当接することにより、板バネ３１がたわむ。そして、板バネ３１は、その弾性復元力により可動搬送ガイド２８を固定搬送ガイド２９側に付勢する。この付勢力とバネ２７の引張力とを受けて、固定搬送ガイド２９に設けられたストッパー（不図示）に可動搬送ガイド２８が突き当たり、所定のガイド間ギャップに保持される。
【００５５】
図４は、ジャム処理などのため、画像形成装置１とシート処理装置１１を引き離した状態を示している。把手２６が画像形成装置１の側面から離れると、板バネ３１のたわみが開放され、可動搬送ガイド２８を押圧する付勢力がなくなる。
【００５６】
以上述べた本実施形態の構成によれば、シート処理装置１１を画像形成装置１に接続したときに板バネ３１が画像形成装置側面に当接することにより、はじめて可動搬送ガイド２８に付勢力が作用する。したがって、装置稼動時には、板バネ３１の付勢力とバネ２７の引張力とが作用して、可動搬送ガイド２８の位置決めが確実に行われ、ガイド間ギャップは適正に保たれる。
【００５７】
また、本実施形態では、ガイド間ギャップを適性に保つために必要な力を板バネ３１とバネ２７に分割しているので、バネ２７の引張力を小さく設定することができる。つまり、シート処理装置１１を画像形成装置１から引き離すと板バネ３１の付勢力がなくなるので、小さな力で可動搬送ガイド２８を開放することができるようになり、ジャム処理作業性の向上を図ることができる。
【００５８】
また、シート処理装置１１を画像形成装置１から離した場合にも、図４のように可動搬送ガイド２８がバネ２７によって固定搬送ガイド２９側に引き付けられているので、画像形成装置１の搬送ユニット６を引き出すための作業空間を確保することができる。
【００５９】
また、可動搬送ガイド２８がバネ２７によって固定搬送ガイド２９側に引き付けられているので、シート処理装置単体としての収まりがよく、シート処理装置１１の設置場所を移動させる場合などに可動搬送ガイド２８が運搬の邪魔にならないという利点もある。
【００６０】
また、板バネ３１の付勢力を十分強く設定しても、ジャム処理作業性に影響を与えないことから、搬送ローラ対１３の圧接力、すなわち挟持搬送力を十分に高めることができ、厚みのあるシート等も良好に搬送することができる。
【００６１】
また、可動搬送ガイド２８側に板バネ３１を設置したことで、画像形成装置１の側面に可動搬送ガイド２８を押圧する板バネ等を設ける必要がないので、横スライドによるジャム処理方式の画像形成装置の場合でもジャム処理作業性を阻害することもない。
【００６２】
また、板バネ３１が可動搬送ガイド２８の回動軸とは反対側の端部に設けられているので、てこの原理により、板バネ３１の弾性復元力を効率的に可動搬送ガイド２８に作用させることができる。
【００６３】
以上、本発明の好適な実施形態について述べたが、本発明は上記構成に限定されるものではなく、発明の技術的範囲のなかで種々の変形が可能である。
【００６４】
上記各実施形態では、シート処理装置を接続する外部装置として画像形成装置１の例を述べたが、シート処理装置にシートを受け渡す機能を有する外部装置であれば、その種類は問わない。たとえば、シートにラミネート処理を施す装置など、他の種類のシート処理装置であってもよい。
【００６５】
また、上記各実施形態では、弾性部材として板バネを採用したが、可動搬送ガイドに設けられ、かつ、外部装置に当接したときに付勢力を発生するものであればいかなる弾性部材でも好ましく用いることができる。たとえば、コイルバネやゴム状弾性体や可撓性部材のようなものでもよい。
【００６６】
また、弾性部材は必ずしも可動搬送ガイドの端部に設ける必要はなく、外部装置に当接する位置であればどの部分に設けてもよい。
【００６７】
【発明の効果】
以上説明したように、本発明によれば、簡易な構成で、シート処理装置およびシート処理装置が接続される外部装置の双方のジャム処理作業性を向上させることができる。
【００６８】
また、簡易な構成で、シート処理装置のジャム処理作業性の向上と搬送ローラ対の挟持搬送力の向上とを両立することができる。
【図面の簡単な説明】
【図１】本発明の第１の実施形態に係るシート処理装置を示す概略構成図である。
【図２】本発明の第１の実施形態に係るシート処理装置を示す概略構成図である。
【図３】本発明の第２の実施形態に係るシート処理装置を示す概略構成図である。
【図４】本発明の第２の実施形態に係るシート処理装置を示す概略構成図である。
【図５】従来のシート処理装置を示す概略構成図である。
【図６】従来のシート処理装置を示す概略構成図である。
【図７】従来のシート処理装置を示す概略構成図である。
【図８】従来のシート処理装置を示す概略構成図である。
【図９】従来のシート処理装置を示す概略構成図である。
【図１０】従来のシート処理装置を示す概略構成図である。
【符号の説明】
１　画像形成装置（外部装置）
２　排出ローラ対
３　板バネ
４　把手
５　定着器
６　搬送ユニット
１１　シート処理装置
１２　経路分岐装置
１３　搬送ローラ対
１３ａ　駆動ローラ
１３ｂ　従動コロ
１３ｃ　板バネ
１４，１５　フラッパー
１８　ストッパー
１９　ステイプラ
２０　突き板
２１ａ，２１ｂ　折りローラ
２２　排出ローラ
２３　トレイ
２６　把手
２７　バネ（バネ部材）
２８　可動搬送ガイド（可動ガイド部材）
２９　固定搬送ガイド（固定ガイド部材）
３０　ヒンジ
３１　板バネ（弾性部材）
３２　スライダー（摺動部）
３３　ホルダー
Ａ　フィニッシャーユニット
Ｂ　ステッチャユニット
ａ　経路
ｂ　経路（シート搬送路）
ｃ　ステイプル位置
ｄ　折り位置
【図１】
2004118029.tif 000003
【図２】
2004118029.tif 000004
【図３】
2004118029.tif 000005
【図４】
2004118029.tif 000006
【図５】
2004118029.tif 000007
【図６】
2004118029.tif 000008
【図７】
2004118029.tif 000009
【図８】
2004118029.tif 000010
【図９】
2004118029.tif 000011
【図１０】
2004118029.tif 000012